(57)【要約】【課題】太陽電池パネル・電子パネル等の複層板製品Ａにおいて、要部である電子プレートの収納エリヤ（合わせ面）への湿気浸入を確実に阻止すること。および電子プレートの収納エリヤ（合わせ面）の湿気浸入阻止対策としてのシール構造を、複層平板製品の周辺部にシール剤を塗布することの単一作業として製造作業の効率化でコスト低減をはかることを課題とする。【解決手段】下板Ｂ２の周辺部に、ホットメルト接着剤を、環状（ループ状）に塗布してなる環状シール剤層Ｍを設けて、電子プレートＣを上板Ｂ1と下板Ｂ2との間に密封状態として、上板Ｂ1と下板Ｂ2とを環状シール剤層Ｍを介して固定一体化する。環状シール剤層Ｍのシール剤層として、ゴム系ホットメルト接着剤（ホットブチル）を使用する。【選択図】図１５
2011183576.tif 000002
【特許請求の範囲】
【請求項１】
上板Ｂ1と下板Ｂ2との間に、電子プレートＣを位置させて、上板Ｂ1と、電子プレートＣと、下板Ｂ2とを一体化した構成した、太陽電池パネル・電子パネル等の複層板製品Ａにおいて、
下板Ｂ２の周辺部に、ホットメルト接着剤を、環状（ループ状）に塗布してなる環状シール剤層Ｂを設けて、
電子プレートＣを上板Ｂ1と下板Ｂ2との間に密封状態として、上板Ｂ1と下板Ｂ2と環状シール剤層Ｍを介して固定一体化したことを特徴とする、太陽電池パネル・電子パネル等の複層板製品。
【請求項２】
上記の環状シール剤層Ｍについて、ゴム系ホットメルト接着剤（ホットブチル）を使用したことを特徴とする請求項1に記載する太陽電池パネル・電子パネル等の複層板製品。
【請求項３】
請求項1の太陽電池パネル・電子パネル等の複層板製品において、
太陽電池パネル・電子パネルの受光素子プレート・発光素子プレートＣ、平板固定形状とし、上板Ｂ1、下板Ｂ2は、硬質プラスチックシートきたは金属性の平板固定形状とすることで、
平板状の固定形状であることを特徴とする請求項1に記載する太陽電池パネル・電子パネル等の複層板製品
【請求項４】
請求項1の太陽電池パネル・電子パネル等の複層板製品において、
太陽電池パネル・電子パネルの受光素子プレート・発光素子プレートＣを、可撓性の有機ＥＬプレートのごとく、変形自在とし、上板Ｂ1、下板Ｂ2は、軟質プラスチックシートのごとく可撓性のある材質とすることで、可撓性のある太陽電池パネル・電子パネルとすることを特徴とする請求項1に記載する太陽電池パネル・電子パネル等の複層板製品
【請求項５】
上板Ｂ1と下板Ｂ2との間に、電子プレートＣを位置させて、上板Ｂ1と、電子プレートＣと、下板Ｂ2とを一体化した構成した、太陽電池パネル・電子パネル等の複層板製品Ａの製造方法において、
下板Ｂ２の周辺部に、ホットメルト接着剤を、環状（ループ状）に塗布して、環状シール剤層Ｍを形成して、
環状シール剤層Ｍで電子プレートＣを包囲した状態で、上板Ｂ1と下板Ｂ2とシール剤層Ｂを介して固定一体化し、
電子プレートＣを上板Ｂ1と下板Ｂ2との間に密封状態としたことを特徴とする太陽電池パネル・電子パネル等の複層板製品Ａの製造方法。
【請求項６】
上記の環状シール剤層Ｍについて、ゴム系ホットメルト接着剤（ホットブチル）を使用したことを特徴とする請求項1に記載する太陽電池パネル・電子パネル等の複層板製品の製造方法。
【発明の詳細な説明】
【技術分野】
【０００１】
本願発明は、太陽光発電用の太陽電池パネル、ＴＶ画像表示用・ＰＲ画像表示用(電子看板プレート)の電子パネル（液晶プレート・有機ELプレート）に関するものである。
より詳しくは、この種の太陽電池パネル・電子パネルは、受光素子プレート・発光素子プレートを、複層板の間に挟みこんで形成した複層板製品である。該複層板製品の周辺部に対するシール剤の塗布方法、および複層板製品の端縁部シール構造に関するものである。
【背景技術】
【０００２】
太陽電池パネル等の複層平板製品においては、合わせ面の湿気浸入阻止対策として、公知技術として、特許文献1の特開２００３−１０３２１４号公開特許公報「シール剤の塗布方法」には、二枚の平板の端縁部に段部を形成し、該段部に-塗布装置のノズルよりシール剤を塗布している。
【先行技術文献】
【特許文献】
【０００３】
【特許文献１】特開２００３−１０３２１４号公開特許公報
【発明の概要】
【発明が解決しようとする課題】
【０００４】
上記の公知技術においては、二枚の平板、Ａの端縁部に段部を形成し、該段部に、塗布装置のノズルよりシール剤を塗布している。前記公知の複層製品の端縁部シール構造においては、ビート状態のシール剤を段部にのみに落下塗布させるものであるから、合わせ面の湿気浸入阻止対策が不確実となる問題点がある
【０００５】
なお、一般的なパッキン使用シール構造として、合わせ面に環状凹溝を形成し、該環状凹溝に対応する形状の環状ゴムパッキンを製作し、環状凹溝に環状ゴムパッキンを挿入したのち、合わせ面を上より加圧固定することで、合わせ面の湿気浸入阻止対策とする、環状ゴムパッキン使用シール構造が考えられる。
該パッキン使用シール構造では、確実な湿気浸入阻止対策が期待できないとともに、環状凹溝に一致する環状ゴムパッキンの選択、環状ゴムパッキンのセッティング、合わせ面の固定と、多段の作業工程を必要とする欠点がある。
【０００６】
よって、本発明は、太陽電池パネル・電子パネル等の複層板製品Ａにおいて、要部である電子プレートの収納エリヤ（合わせ面）への湿気浸入を確実に阻止すること。および電子プレートの収納エリヤ（合わせ面）の湿気浸入阻止対策としてのシール構造を、複層平板製品の周辺部にシール剤を塗布することの単一作業として製造作業の効率化でコスト低減をはかることを課題とする。
【課題を解決するための手段】
【０００７】
請求項1の発明は、上板Ｂ1と下板Ｂ2との間に、電子プレートＣを位置させて、上板Ｂ1と、電子プレートＣと、下板Ｂ2とを一体化した構成した、太陽電池パネル・電子パネル等の複層板製品Ａにおいて、
下板Ｂ２の周辺部に、ホットメルト接着剤を、環状（ループ状）に塗布してなる環状シール剤層Ｍを設けて、
電子プレートＣを上板Ｂ1と下板Ｂ2との間に密封状態として、上板Ｂ1と下板Ｂ2とを環状シール剤層Ｍを介して固定一体化したことを特徴とする。
【０００８】
請求項2の発明は、請求項1の発明において、上記のシール剤層Ｍについて、ゴム系ホットメルト接着剤（ホットブチル）を使用したことを特徴とする。
【０００９】
請求項3の発明は、請求項1の発明において、太陽電池パネル・電子パネルの受光素子プレート・発光素子プレートＣを、平板固定形状とし、上板Ｂ1、下板Ｂ2は、硬質プラスチックシートきたは金属性の平板固定形状とすることで、太陽電池パネル・電子パネル等の複層板製品が平板状の固定形状であることを特徴とする。
【００１０】
請求項4の発明は、請求項1の発明において、太陽電池パネル・電子パネルの受光素子プレート・発光素子プレートＣを、可撓性の有機ＥＬプレートのごとく、変形自在とし、上板Ｂ1、Ｂ2は、軟質プラスチックシートのごとく可撓性のある材質とすることで、太陽電池パネル・電子パネル等の複層板製品が可撓性（変形自在の形状）であることを特徴とする。
【００１１】
請求項5の発明は、上板Ｂ1と下板Ｂ2との間に、電子プレートＣを位置させて、上板Ｂ1と、電子プレートＣと、下板Ｂ2とを一体化した構成した、太陽電池パネル・電子パネル等の複層板製品Ａの製造方法において、
下板Ｂ２の周辺部に、ホットメルト接着剤を、環状（ループ状）に塗布して、環状シール剤層Ｍを形成して、シール剤層Ｂで電子プレートＣを包囲した状態で、上板Ｂ1と下板Ｂ2とを環状シール剤層Ｍを介して固定一体化し、電子プレートＣを上板Ｂ1と下板Ｂ2との間に密封状態としたことを特徴とする。
【００１２】
請求項６の発明は、請求項５の発明において、上記の環状シール剤層Ｍについて、ゴム系ホットメルト接着剤（ホットブチル）を使用したことを特徴とする。
【発明の効果】
【００１３】
請求項1の発明は、下板Ｂ２の周辺部に、ホットメルト接着剤を、環状（ループ状）に塗布して形成した環状シール剤層Ｍを形成して、上板Ｂ1と下板Ｂ2とを環状シール剤層Ｍを介して固定一体化するものであるから、加熱状態で塗布されたホットメルト接着剤が、電子プレートＣを包囲した状態で自然冷却で固化することで、
電子プレートＣを上板Ｂ1と下板Ｂ2との間に密封状態として、電子プレートＣの収納空間に対する湿気浸入阻止対策を確実とするとともに、上板Ｂ1と下板Ｂ2とシール剤層Ｂを介して固定一体化することで、電子プレートＣに対する別段の固定手段を必要としない効果を有する。
【００１４】
請求項5の発明は、下板Ｂ２の周辺部に、ホットメルト接着剤を、環状（ループ状）に塗布して、環状シール剤層Ｍを形成するものであるから、太陽電池パネル・電子パネル等の複層板製品Ａのシール構造を、ホットメルト接着剤の塗布工程のみで完成することができる効果を有する。
【図面の簡単な説明】
【００１５】
【図１】本願発明の実施例を示す複層板製品の平面図。
【図２】同じく縦断面図。
【図３】上板を除去して示す、平面図。
【図４】第１実施例を示す環状シール剤層を塗布状態で示し、（a）図は縦断面図、（b）は部分斜視図。
【図５】同じく環状シール剤層を固定状態で示し、（a）図は縦断面図、（b）は部分斜視図。
【図６】第2実施例を示す環状シール剤層を塗布状態で示し、（a）図は縦断面図、（b）は部分斜視図。
【図７】同じく環状シール剤層を固定状態で示し、（a）図は縦断面図、（b）は部分斜視図。
【図８】第３実施例を示す環状シール剤層を塗布状態で示し、（a）図は縦断面図、（b）は部分斜視図。
【図９】同じく環状シール剤層を固定状態で示し、（a）図は縦断面図、（b）は部分斜視図。
【図１０】コーター塗布装置の縦断面図。
【図１１】第１実施例について、コーター塗布装置の塗布作用の説明図で、（a）図はコーター塗布装置の塗布ヘッドの縦断面図、（b）は側面図、（ｃ）図は底面図、（ｄ）図は被塗布ワークへの塗布状態を示す正面図、（ｅ）は部分斜視図。
【図１２】第２実施例について、コーター塗布装置の塗布作用の説明図で、（a）図はコーター塗布装置の塗布ヘッドの縦断面図、（b）は側面図、（ｃ）図は底面図、（ｄ）図は被塗布ワークへの塗布状態を示す正面図、（ｅ）は部分斜視図。
【図１３】スプレー塗布装置の縦断面図。
【図１４】第３実施例について、スプレー塗布装置の塗布作用の説明図で、（a）図はビート状のシール剤の縦断面図、（b）は塗布状態の平面図。
【図１５】コーター塗布装置による環状シール剤層の形成工程を示す斜視図。
【図１６】同じく工程説明図。
【図１７】可撓性（変形自在の形状）である太陽電池パネル・電子パネル等の複層板製品を示し、(ａ) 図は斜視図、（b）は断面図。
【発明を実施するための最良の形態】
【００１６】
本発明を、実施例にもとづいて、以下本願発明を詳細に説明する。
【００１７】
図1を参照して、Ｃは、太陽光発電用の太陽電池パネルの発電素子プレート、ＴＶ画像表示用・ＰＲ画像表示用(電子看板プレート)の電子パネルの発光素子プレート（液晶プレート・有機ELプレート・ＬＥＤ画像プレート）等の、複層板製品Ａの要部の電子プレートである。
【００１８】
太陽電池パネル・電子パネル等の複層板製品Ａは、上板Ｂ1と下板Ｂ2との間に、前記電子プレートＣを位置させて、上板Ｂ1と、電子プレートＣと、下板Ｂ2とを一体化した構成である。
必要に応じて、上板Ｂ1の上面に透明の表面保護カバーシートＤを接着付加し、下板Ｂ2の下面に金属製またはプラスチック製の底面保護・取付用の支持板Ｅを固定付加する。
【００１９】
本願発明は、前述した複層板製品Ａを構成するにあたり（上板Ｂ1と、電子プレートＣと、下板Ｂ2とを一体化構成する）、環状シール剤層Ｍを、上板Ｂ1と下板Ｂ2との間に両者の周辺部に位置して形成する。
【００２０】
本願発明の要部であるところの、上記の環状シール剤層Ｍについて、ホットメルト接着剤を使用する。好ましくは、ゴム系ホットメルト接着剤（ホットブチル）を使用する。
【００２１】
シール剤層Ｂは、電子プレートＣの側方に一して電子プレートＣを包囲し、かつ環状（ループ状）にエンドレスに連続している。
【００２２】
シール剤層Ｂの断面形状、断面高さ、断面巾は適宜設定されるものであるが、図４ないし図９は、その一例を示す。
【００２３】
図4は、塗布時の環状シール剤層Ｍの断面形状を正方形とする実施例を示し、図５は、その環状シール剤層Ｍの固定状態を示す。
【００２４】
図6は、塗布時の環状シール剤層Ｍの断面形状を台形とする実施例を示し、図7は、その環状シール剤層Ｍの固定状態を示す。
【００２５】
図８は、塗布時の環状シール剤層Ｍの断面形状を円形とする実施例を示し、図９５は、その環状シール剤層Ｍの固定状態を示し扁平楕円形である。
【００２６】
図10を参照して、シール塗布剤Ｍのコーター式塗布機構Ｐを説明する。
【００２７】
塗布ユニット1は、本体ブロック２の一側にガンユニット３を他側にギヤポンプ４およびサーボモータ５を装備し、本体ブロック２の上部に溶融タンク６を形成し、ガンユニット3と本体ブロック２との間に接続ブロック１０を介装する。
【００２８】
本体ブロック２には供給回路７、リターン回路８を形成し、加熱部材９を内装して所定温度に本体ブロック２を高温維持する。
【００２９】
ガンユニット３には、弁機構１１を内装し、下部の塗布ヘッド１３の供給路１２を介して、塗布ヘッド１３の下端底面に露出する塗布溝14に、シール剤（ゴム系ホットメルト接着剤（ホットブチル））Ｍの供給を制御すべく構成されている。
【００３０】
図１１は、塗布ヘッド１３を示し、塗布溝14は、縦断面形状を正方形とし、図4の塗布形態に対応する。（ｄ）図および(ｅ)図は縦断面形状を正方形とする塗布状態を示す。
【００３１】
図１２は、図６の塗布形態に対応する、塗布ヘッド１３を示し、塗布溝14の縦断面形状を台形する。（ｄ）図および(ｅ)図は縦断面形状を台形とする塗布状態を示す。
【００３２】
図10を参照して、シール塗布剤Ｍのスプレー塗布式塗布機構Ｑを説明する。
【００３３】
ガンユニット20は、弁機構１１を内装した弁体ブロック21、その上方に弁制御ブロック22、および塗布ヘッド23より構成し、塗布ヘッド23には塗布剤孔２４と加圧空気孔２５ａ、25ｂが形成されている。
【００３４】
塗布剤孔２４には、塗布剤供給源２６より弁機構１１を介してシール剤（ゴム系ホットメルト接着剤（ホットブチル））Ｍが供給され、塗布ヘッド１３の下端底面シール剤（ゴム系ホットメルト接着剤（ホットブチル））ｈを流下させる。
【００３５】
加圧空気孔２５ａ、25ｂには、加圧空気源２7より加圧空気が供給され、塗布ヘッド１３の下端底面より加圧空気Ｋを流下させる。
【００３６】
塗布ヘッド23は筒状体の下部を下向き円錐台とした形状で、底面は図１４に示すごとく円形である。
【００３７】
塗布ヘッド23は筒状体の下部を下向き円錐台とした形状で、底面は図１４に示すごとく円形である。塗布ヘッド１３のヘッド底面１３ａの中心に単一の塗布剤孔２４が露出し、その左右側方に加圧空気孔２５ａ、25ｂが露出している。
【００３８】
塗布ヘッド１３のヘッド底面１３ａの中心より、塗布剤孔２４より、塗布剤供給源２６より弁機構１１を介して供給されたゴム系ホットメルト接着剤（ホットブチル）が、図１３を参照して、ビート状のゴム系ホットメルト接着剤ｈとして流下する。ビート状のゴム系ホットメルト接着剤ｈの両側方に加圧空気流ｋが底面中心方向に噴出する。
【００３９】
ビート状のゴム系ホットメルト接着剤ｈに加圧空気流ｋが作用して、紐状のゴム系ホットメルト接着剤Ｈとなり、断面円形となって、図８に対応する、断面円形の環状シール剤層Ｍとして、下板Ｂ2の上面に塗布される。
【００４０】
図1５を参照して、支持台31に戴置した下板Ｂ2(被塗布ワークＷ)  に対するシール塗布剤(ホットブチル)Ｍの塗布形態の示す。
塗布剤を被塗布ワークの周面に圧接させつつ塗布ノズルを被塗布ワークに対して相対移動させることで、被塗布ワークに塗布した塗布剤を所定の形状(厚さ、塗布範囲、断面形状等)に成型する。
【００４１】
なお、実施例では、コーター式塗布機構Ｐの支持体31をコンプュータ制御のロボット駆動機構（図示省略）により、図１６に示す、直進イ、４５度回動ロ、直進ハ、４５度回動ニ、直進ホ、４５度回動へ、直進ト、４５度回動チ、即ち、一筆書き移動を行うことで、シール塗布剤(ホットブチル)Ｍの環状ループを完成する。
【００４２】
上述の作用と反対に、コーター式塗布機構Ｐの支持体32を固定し、下板Ｂ2(被塗布ワークＷ)  をコンプュータ制御のロボット駆動機構（図示省略）により、移動させてもよい。
【００４３】
なお、前後方向と左右方向とを非連続すなわち独立して塗布してもよい。最終の塗布完了状態でシール塗布剤(ホットブチル)Ｍが環状ループを形成しておれば、本願発明の目的を達成できるものである。
【００４４】
本願発明の発明の実施にあたり、シール塗布剤としてゴム系ホットメルトメ（ホットブチル）を適用するとともに、前記ガンユニットに加熱手段を装備していることにより、溶融状態で塗布ノズルに供給されたゴム系ホットメルトメ（ホットブチル）を塗布剤吐出口の先端より、液体状態で吐出する。
【００４５】
被塗布ワークの塗布面に塗布した状態では、ゴム系ホットメルトメ（ホットブチル）Mは冷却されて固体状態に変化する。
したがって、被塗布ワークに塗布されたゴム系ホットメルトメ（ホットブチル）は、液体状態より固体状態に変化している。よって、以後の作業を、連続して作業可能とするとともに後続作業を容易とする。
【００４６】
本願発明の適用した複層板製品Ａ‘について、図17は、湾曲板形状（断面円弧状）とするものであり、太陽電池パネル・電子パネルの受光素子プレート・発光素子プレートＣを、湾曲板形状とする。また、上板Ｂ1、下板Ｂ2も、それぞれ湾曲板形状とする。上板Ｂ1、下板Ｂ2は、軟質プラスチックシートのごとく可撓性のある材質とする。この場合には、シール塗布剤をゴム系ホットメルトメ（ホットブチル）Ｍとすることで、湾曲板形状となることで、上板Ｂ1と下板Ｂ2とは湾曲半径が相違することとなり、ゴム系ホットメルトメ（ホットブチル）Mの上板Ｂ1と下板Ｂ2との固定位置は平板状態と比較してずれることとなるが、ゴム系ホットメルトメ（ホットブチル）Mの変形により吸収することができる[ゴム系ホットメルトメ（ホットブチル）Mは、平板状態では、上板Ｂ1、下板Ｂ2に対し垂直状態であるが、湾曲状態では傾斜して上板Ｂ1、下板Ｂ2との固定位置を変化することなく、上板Ｂ1、下板Ｂ2の湾曲に対応できる]。したがって、湾曲板形状（断面円弧状）の太陽電池パネル・電子パネルにおいても、本発明の湿気浸入阻止効果は十分達成されるものである。
【００４７】
上記の実施例の複層板製品Ａ‘は、可撓性のある太陽電池パネル・電子パネルとすることで、太陽電池パネル・電子パネルの、建造物の湾曲面への設置を可能とし、外壁面等接着させて、太陽電池パネル・電子パネルの設置を可能とする効果がある。
【産業上の利用可能性】
【００４８】
本願発明は、太陽光発電用の太陽電池パネル、ＴＶ画像表示用・ＰＲ画像表示用(電子看板プレート)の電子パネル（液晶プレート・有機ELプレート）等の複層板製品の製造、利用を促進して、この種の産業の発展に寄与するものである。
【符号の説明】
【００４９】
１    塗布ユニット
２    本体ブロック
３    ガンユニット  
４    ギヤポンプ
５    サーボモータ
１３  塗布ノズル
１４  塗布剤吐出口
１５  塗布剤吐出口の先端
Ｍ    被塗布剤(シ―ル塗布剤)
Ｗ    被塗布ワーク
【図１】
2011183576.tif 000003
【図２】
2011183576.tif 000004
【図３】
2011183576.tif 000005
【図４】
2011183576.tif 000006
【図５】
2011183576.tif 000007
【図６】
2011183576.tif 000008
【図７】
2011183576.tif 000009
【図８】
2011183576.tif 000010
【図９】
2011183576.tif 000011
【図１０】
2011183576.tif 000012
【図１１】
2011183576.tif 000013
【図１２】
2011183576.tif 000014
【図１３】
2011183576.tif 000015
【図１４】
2011183576.tif 000016
【図１５】
2011183576.tif 000017
【図１６】
2011183576.tif 000018
【図１７】
2011183576.tif 000019